(57)【要約】  この出願の実施形態は、通信方法及び装置を提供する。当該方法は、レートマッチングのための入力系列を取得するステップであり、入力系列は、トランスポートブロックに対応する初期送信系列又は再送系列であり、入力系列は、M個の符号ブロックグループを含み、Mの値は、トランスポートブロックがセグメント化された後に取得される符号ブロックグループの数以下である、ステップと、M個の符号ブロックグループ内の第jの符号ブロックに対応するソフトバッファサイズBjを取得するステップであり、Bjの値は、符号化された後の第jの符号ブロックの長さKwと、M個の符号ブロックグループに含まれる符号ブロックの数Ctと、トランスポートブロックのソフトバッファサイズNIRとに基づいて決定される、ステップと、Bjに基づいて、送信に使用されるビットセットを決定するステップと、ビットセットに基づいてレートマッチング出力系列を取得するステップとを含む。当該方法は、送信が符号ブロックグループに基づいて実行されるシステムに適用可能でもよく、リソースができるだけ多く十分に使用され、それにより、性能を改善する。
2020519174.tif 000002
【特許請求の範囲】
【請求項１】
通信方法であって、
レートマッチングのための入力系列を取得するステップであり、前記入力系列は、トランスポートブロックに対応する再送系列であり、前記入力系列は、M個の符号ブロックグループを含み、Mの値は、前記トランスポートブロックがセグメント化された後に取得される符号ブロックグループの数未満であり、前記M個の符号ブロックグループは、Ct個の符号ブロックを含む、ステップと、
前記Ct個の符号ブロックに対してレートマッチングを実行するステップであり、前記Ct個の符号ブロックのそれぞれのレートマッチング出力系列の長さは、以下の条件、すなわち、j≦Ct-γ-1であるとき、
【数３４】
2020519174.tif 000036
又は、j＞Ct-γ-1であるとき、
【数３５】
2020519174.tif 000037
を満たし、G’=G/(NL・Qm)であり、γ=G’modCtであり、Qmは変調次数であり、NLはデータフローの数であり、Gは前記トランスポートブロックを送信するために使用される利用可能なビットの数であり、jは前記M個の符号ブロックグループ内の第jの符号ブロックを表す、ステップと
を含む方法。
【請求項２】
前記Ct個の符号ブロックに対してレートマッチングを実行する前に、当該方法は、
前記M個の符号ブロックグループ内の前記第jの符号ブロックに対応するソフトバッファサイズBjを取得するステップであり、Bjの値は、符号化された後の前記第jの符号ブロックの長さKwと、前記M個の符号ブロックグループに含まれる符号ブロックの数Ctと、前記トランスポートブロックのソフトバッファサイズNIRとに基づいて決定される、ステップと、
Bjに基づいて、送信に使用されるビットセットを決定するステップと
を更に含み、
前記Ct個の符号ブロックに対してレートマッチングを実行するステップは、
前記ビットセットに基づいてレートマッチング出力系列を取得するステップを含む、請求項１に記載の方法。
【請求項３】
Bjの値が、符号化された後の前記第jの符号ブロックの長さKwと、前記M個の符号ブロックグループに含まれる符号ブロックの数Ctと、前記トランスポートブロックのソフトバッファサイズNIRとに基づいて決定されることは、
前記Bjの値が
【数３６】
2020519174.tif 000038
を満たすことを含む、請求項２に記載の方法。
【請求項４】
Bjの値が、符号化された後の前記第jの符号ブロックの長さKwと、前記M個の符号ブロックグループに含まれる符号ブロックの数Ctと、前記トランスポートブロックのソフトバッファサイズNIRとに基づいて決定されることは、
前記Bjの値が
【数３７】
2020519174.tif 000039
を満たし、Nmaxは符号化された符号ブロックの最大利用可能長を表すことを含む、請求項２に記載の方法。
【請求項５】
通信装置であって、
入力系列を取得するように構成された入力ユニットであり、前記入力系列は、トランスポートブロックに対応する再送系列であり、前記入力系列は、M個の符号ブロックグループを含み、Mの値は、前記トランスポートブロックがセグメント化された後に取得される符号ブロックグループの数未満であり、前記M個の符号ブロックグループは、Ct個の符号ブロックを含む、入力ユニットと、
前記Ct個の符号ブロックに対してレートマッチングを実行するように構成されたレートマッチングユニットであり、前記Ct個の符号ブロックのそれぞれのレートマッチング出力系列の長さは、以下の条件、すなわち、j≦Ct-γ-1であるとき、
【数３８】
2020519174.tif 000040
又は、j＞Ct-γ-1であるとき、
【数３９】
2020519174.tif 000041
を満たし、G’=G/(NL・Qm)であり、γ=G’modCtであり、Qmは変調次数であり、NLはデータフローの数であり、Gは前記トランスポートブロックを送信するために使用される利用可能なビットの数であり、jは前記M個の符号ブロックグループ内の第jの符号ブロックを表す、レートマッチングユニットと
を含む装置。
【請求項６】
前記M個の符号ブロックグループ内の前記第jの符号ブロックに対応するソフトバッファサイズBjを取得するように構成された取得ユニットであり、Bjの値は、符号化された後の前記第jの符号ブロックの長さKwと、前記M個の符号ブロックグループに含まれる符号ブロックの数Ctと、前記トランスポートブロックのソフトバッファサイズNIRとに基づいて決定される、取得ユニットと、
Bjに基づいて、送信に使用されるビットセットを決定するように構成された決定ユニットと、
前記ビットセットに基づいて前記レートマッチング出力系列を取得するように構成された出力ユニットと
を更に含む、請求項５に記載の装置。
【請求項７】
前記Bjの値は
【数４０】
2020519174.tif 000042
を満たす、請求項６に記載の装置。
【請求項８】
前記Bjの値は
【数４１】
2020519174.tif 000043
を満たし、Nmaxは符号化された符号ブロックの最大利用可能長を表す、請求項６に記載の装置。
【請求項９】
通信装置であって、
メモリと、プロセッサと、前記メモリに記憶されて前記プロセッサ上で実行可能な命令とを含み、
前記命令が前記プロセッサにより実行されたとき、前記通信装置に請求項１乃至４のうちいずれか１項に記載の方法を実現させる、通信装置。
【請求項１０】
通信装置であって、
レートマッチングのための入力系列を取得するように構成されたメモリであり、前記入力系列は、トランスポートブロックに対応する初期送信系列又は再送系列であり、前記入力系列は、M個の符号ブロックグループを含み、Mの値は、前記トランスポートブロックがセグメント化された後に取得される符号ブロックグループの数以下である、メモリと、
前記Ct個の符号ブロックに対してレートマッチングを実行するように構成されたプロセッサであり、前記Ct個の符号ブロックのそれぞれのレートマッチング出力系列の長さは、以下の条件、すなわち、j≦Ct-γ-1であるとき、
【数４２】
2020519174.tif 000044
又は、j＞Ct-γ-1であるとき、
【数４３】
2020519174.tif 000045
を満たし、G’=G/(NL・Qm)であり、γ=G’modCtであり、Qmは変調次数であり、NLはデータフローの数であり、Gは前記トランスポートブロックを送信するために使用される利用可能なビットの数であり、jは前記M個の符号ブロックグループ内の第jの符号ブロックを表す、プロセッサと
を含む装置。
【請求項１１】
前記プロセッサは、
前記M個の符号ブロックグループ内の前記第jの符号ブロックに対応するソフトバッファサイズBjを取得し、Bjの値は、符号化された後の前記第jの符号ブロックの長さKwと、前記M個の符号ブロックグループに含まれる符号ブロックの数Ctと、前記トランスポートブロックのソフトバッファサイズNIRとに基づいて決定され、
Bjに基づいて、送信に使用されるビットセットを決定し、
前記ビットセットに基づいて前記レートマッチング出力系列を取得する、
ように更に構成される、請求項１０に記載の装置。
【請求項１２】
前記Bjの値は
【数４４】
2020519174.tif 000046
を満たす、請求項１１に記載の装置。
【請求項１３】
前記Bjの値は
【数４５】
2020519174.tif 000047
を満たし、Nmaxは符号化された符号ブロックの最大利用可能長を表す、請求項１２に記載の装置。
【請求項１４】
コンピュータ読み取り可能記憶媒体であって、
当該媒体は命令を記憶し、
前記命令がコンピュータ上で実行されたとき、前記通信装置に請求項１乃至４のうちいずれか１項に記載の通信方法を実現させる、コンピュータ読み取り可能記憶媒体。
【請求項１５】
コンピュータプログラムであって、
当該プログラムが実行されたとき、前記通信装置に請求項１乃至４のうちいずれか１項に記載の方法を実現させる、コンピュータプログラム。
【発明の詳細な説明】
【技術分野】
【０００１】
［関連出願への相互参照］
この出願は、2017年5月5日に中国特許庁に出願された「COMMUNICATIONS  METHOD  AND  APPARATUS」という名称の中国特許出願第201710313891.X号の優先権を主張し、その全内容を参照により援用する。
［技術分野］
この出願は、通信技術に関し、特に、通信方法及び装置に関する。
【背景技術】
【０００２】
技術の発展によって、低密度パリティ検査ビット(low  density  parity  checB  code,  LDPC)が情報を符号化するために通信システムに導入されており、低密度パリティ検査符号の検査行列は疎行列である。
【０００３】
符号化がLDPCを使用することにより実行され得るシステム、例えば、新無線(new  radio,  NR)システムでは、符号ブロックグループに基づく送信が実現される必要がある。しかし、既存のレートマッチングアルゴリズムは、符号化がTurbo符号を使用することにより実行されるシステムに基づく。符号化がTurbo符号を使用することにより実行されるシステムでは、初期送信と再送との双方は、トランスポートブロック内の全ての符号ブロックについてのものである。したがって、既存のレートマッチングアルゴリズムは、送信が符号ブロックグループに基づいて実行されるシステムには適用可能ではない。
【発明の概要】
【０００４】
この出願の実施形態は、送信が符号ブロックグループに基づいて実行されるシステムに適用可能な解決策を提供するための通信方法及び装置を提供する。
【０００５】
第1の態様によれば、この出願はレートマッチング方法を提供する。レートマッチング方法は、入力系列を取得するステップであり、入力系列は、トランスポートブロックに対応する初期送信系列又は再送系列であり、入力系列は、M個の符号ブロックグループを含み、Mの値は、トランスポートブロックがセグメント化された後に取得される符号ブロックグループの数以下である、ステップと、
M個の符号ブロックグループ内の第jの符号ブロックに対応するソフトバッファサイズBjを取得するステップであり、Bjの値は、符号化された後の第jの符号ブロックの長さKwと、M個の符号ブロックグループに含まれる符号ブロックの数Ctと、トランスポートブロックのソフトバッファサイズNIRとに基づいて決定される、ステップと、Bjに基づいて、送信に使用されるビットセットを決定するステップと、ビットセットに基づいて出力系列を取得するステップとを含む。
【０００６】
第2の態様によれば、この出願の実施形態は通信装置を更に提供する。通信装置は、第1の態様による通信方法を実現するように構成されてもよい。通信装置は、端末、基地局、ベースバンドチップ、データ信号処理チップ又は汎用チップでもよい。
【０００７】
上記の方法及び装置では、レートマッチング中の各符号ブロックのソフトバッファサイズは、実際に送信される符号ブロックグループの数に基づいて決定され、それにより、リソースはできるだけ多く十分に使用でき、それにより、性能を改善する。
【０００８】
可能な実現方式では、KwがNmax及びNIRにより制限されるとき、Bjの値はBj=Kwを満たす。この実現方式では、Nmax及びトランスポートブロックのソフトバッファサイズの符号化された符号ブロックの長さに対する制限は、符号化段階で完了し、それにより、レートマッチング中の冗長ビットが低減され、複雑性が比較的低い。
【０００９】
可能な実現方式では、KwがNmaxにより制限されるとき、Bjの値は
【数１】
2020519174.tif 000003
を満たす。この実現方式では、符号化段階で使用されるアルゴリズムは、比較的簡単であり、実現するのが比較的容易である。
【００１０】
他の可能な実現方式では、Bjの値は
【数２】
2020519174.tif 000004
を満たし、Nmaxは符号化された符号ブロックの最大利用可能長を表す。この実現方式では、エンコーダは、単に比較的簡単な符号化操作を完了する必要があるだけであり、他の制限は、レートマッチング中に完了する。異なる段階で実現される機能がより明確に規定される。
【００１１】
第3の態様によれば、この出願は通信方法を更に提供する。当該方法は、再送シナリオに適用可能であり、レートマッチングのための入力系列を取得するステップであり、入力系列は、トランスポートブロックに対応する再送系列であり、再送系列は、M個の符号ブロックグループを含み、Mの値は、トランスポートブロックがセグメント化された後に取得される符号ブロックグループの数未満であり、M個の符号ブロックグループは、Ct個の符号ブロックを含む、ステップと、Ct個の符号ブロックに対してレートマッチングを実行するステップであり、Ct個の符号ブロックのそれぞれのレートマッチング出力系列の長さは、以下の条件、すなわち、j≦Ct-γ-1であるとき、
【数３】
2020519174.tif 000005
又は、j＞Ct-γ-1であるとき、
【数４】
2020519174.tif 000006
を満たす、ステップとを含む。当該方法では、レートマッチングの出力は、再送される符号ブロックグループに基づき、それにより、エアインタフェースリソースがより十分に使用できる。
【００１２】
第4の態様によれば、この出願の実施形態は通信装置を更に提供する。通信装置は、第3の態様による通信方法を実現するように構成されてもよい。通信装置は、端末、基地局、ベースバンドチップ、データ信号処理チップ又は汎用チップでもよい。
【００１３】
任意選択で、この出願で提供される方法及び装置は、LDPCを使用する通信システムに適用可能でもよい。
【００１４】
他の任意選択の設計では、第2の態様又は第4の態様による通信装置は、プロセッサと、メモリとを含む。メモリは、上記の通信方法を実現するための命令を記憶するように構成され、プロセッサは、命令を実行し、上記の通信方法を実現するように構成される。
【００１５】
他の任意選択の設計では、第2の態様又は第4の態様による通信装置は、プロセッサと、メモリとを含む。メモリは、プロセッサに結合され、プロセッサは、
レートマッチングのための入力系列を取得し、入力系列は、トランスポートブロックに対応する初期送信系列又は再送系列であり、入力系列は、M個の符号ブロックグループを含み、Mの値は、トランスポートブロックがセグメント化された後に取得される符号ブロックグループの数以下であり、
M個の符号ブロックグループ内の第jの符号ブロックに対応するソフトバッファサイズBjを取得し、Bjの値は、符号化された後の第jの符号ブロックの長さKwと、M個の符号ブロックグループに含まれる符号ブロックの数Ctと、トランスポートブロックのソフトバッファサイズNIRとに基づいて決定され、Bjに基づいて、送信に使用されるビットセットを決定し、ビットセットに基づいてレートマッチング出力系列を取得すること
を含むが、これらに限定されない、対応する処理プロセスを実現するように構成される。
【００１６】
任意選択で、通信装置は、送受信機を更に含んでもよい。
【００１７】
この出願の実施形態はコンピュータプログラムプロダクトを更に提供し、コンピュータプログラムプロダクトがコンピュータ上で実行されたとき、コンピュータに上記の通信方法を実現させる。
【００１８】
この出願の実施形態はコンピュータ読み取り可能記憶媒体を更に提供し、当該媒体は命令を記憶し、命令がコンピュータ上で実行されたとき、コンピュータに上記の通信方法を実現させる。
【図面の簡単な説明】
【００１９】
この出願の技術的解決策をより明確に説明するために、以下に実施形態を説明するために必要な添付図面について簡単に説明する。
【図１】無線通信システムの簡略化された概略図である。
【図２】端末の構造の簡略化された概略図である。
【図３】基地局の構造の簡略化された概略図である。
【図４】ビット系列処理プロセスの例を示す。
【図５】この出願の実施形態による通信方法の概略フローチャートである。
【図６】この出願の実施形態による送信用のビットセットの概略図である。
【図７】この出願の実施形態に係る通信装置の構造の概略図である。
【図８】この出願の他の実施形態に係る通信装置の構造の概略図である。
【発明を実施するための形態】
【００２０】
以下に、この出願の添付図面を参照して、この出願の実施形態について説明する。
【００２１】
以下に、この出願のいくつかの用語及び合意事項の説明を提供する。
【００２２】
ビット系列はビット「0」及び/又は「1」で構成される系列である。ビット系列の長さは、ビット系列に含まれるビットの数である。例えば、ビット系列00は2ビットを含み、ビット系列の長さは2であり、ビット系列111は3ビットを含み、ビット系列の長さは3であり、ビット系列「0100」は4ビットを含み、ビット系列の長さは4である。
【００２３】
トランスポートブロック(transport  blocB,  TB)と符号ブロック(code  blocB,  CB)との双方は、ビット系列と考えられてもよい。符号ブロックは、トランスポートブロック又は処理されたトランスポートブロックがセグメント化された後に取得され、符号化の対象である。したがって、この出願では、符号ブロックの長さは、符号ブロックに対応するビット系列に含まれるビットの数であり、符号ブロックの長さはまた、符号ブロックのサイズとも呼ばれてもよい。トランスポートブロックの長さは、トランスポートブロックに対応するビット系列に含まれるビットの数であり、トランスポートブロックの長さはまた、トランスポートブロックのサイズとも呼ばれてもよい。技術の発展によって、トランスポートブロック又は符号ブロックは、異なる用語として命名されてもよいことが理解され得る。この出願の実施形態では、処理後に取得されるトランスポートブロックもまた、トランスポートブロックとして理解されてもよく、処理は、検査ビットを追加すること、例えば、巡回冗長検査(cyclic  redundancy  check,  CRC)ビットを初期トランスポートブロックに追加することでもよい。処理は、この出願では限定されない。
【００２４】
この出願の実施形態では、通信装置は、通信機能を有する装置である。例えば、通信装置は、基地局、端末、チップ等でもよい。チップは、例えば、ベースバンドチップ又は通信チップでもよい。
【００２５】
この出願の実施形態における技術的解決策は、図１に示す無線通信システムに適用可能でもよい。図１に示すように、無線通信システムは、少なくとも1つの基地局B200と、少なくとも1つの端末T100(1つのみが図１に示されている)とを含む。基地局B200は、異なる通信リソースを使用することにより、端末T100と通信してもよい。例えば、基地局B200は、ワイドビーム及び/又はナロービームを使用することにより、端末T100と通信してもよい。無線通信システムは、LTE(ロングタームエボリューション,  long  term  evolution)システムのような4G通信システム、NRシステムのような5G通信システム、様々な通信技術を統合した通信システム(例えば、LTE技術とNR技術とを統合した通信システム)、後続の進化型システム等でもよい。基地局B200と端末T100との双方は、送信デバイス又は受信デバイスとして使用されてもよい。アップリンクでは、端末は送信デバイスとして使用され、基地局は受信デバイスとして使用される。ダウンリンクでは、基地局は送信デバイスとして使用され、端末は受信デバイスとして使用される。無線通信システムは、無線アクセスネットワークと、コアネットワークとを含んでもよいことが理解され得る。無線アクセスネットワークは、基地局B200を含み、中継ノード又は他のデバイスのような他のアクセスデバイスを含んでもよい。コアネットワークは、モビリティ管理エンティティ又は他の制御又は記憶デバイスのようなコアネットワークデバイスを含んでもよい。
【００２６】
この出願では、端末T100は、無線通信機能を有するデバイスである。端末は、例えば、ハンドヘルドデバイス、車載デバイス、ウェアラブルデバイス、又は無線通信機能を有する計算デバイス、又は無線モデムに接続された他の処理デバイスでもよい。端末は、異なるネットワークでは異なる名称として、例えば、ユーザ装置、移動局、ユーザユニット、局、携帯電話、パーソナルデジタルアシスタント、無線モデム、無線通信デバイス、ハンドヘルドデバイス、ラップトップコンピュータ、コードレス電話機又は無線ローカルループ局と呼ばれてもよい。理解及び図の表現の容易さのため、端末T100が移動電話である例が図１及び図２において使用される点に留意すべきである。図２は、端末T100の概略構造図である。図２に示すように、端末T100は、プロセッサと、メモリと、無線周波数回路と、アンテナと、入力/出力装置とを含む。プロセッサは、主に、通信プロトコル及び通信データを処理すること、端末を制御すること、ソフトウェアプログラムを実行すること、ソフトウェアプログラムのデータを処理すること等を行うように構成される。メモリは、主に、ソフトウェアプログラム及びデータを記憶するように構成される。無線周波数回路は、主に、ベースバンド信号と無線周波数信号との間の変換を実行し、無線周波数信号を処理するように構成される。アンテナは、主に、電磁波の形式の無線周波数信号を受信及び送信するように構成される。タッチスクリーン、ディスプレイ、キーボード等のような入力/出力装置は、主に、ユーザにより入力されたデータを受け取り、データをユーザに出力するように構成される。いくつかの種類の端末は、入力/出力装置を有さなくてもよい点に留意すべきである。
【００２７】
データを送信する必要があるとき、送信対象のデータに対してベースバンド処理を実行した後に、プロセッサは、ベースバンド信号を無線周波数回路に出力し、無線周波数回路は、ベースバンド信号に対して無線周波数処理を実行し、アンテナを使用することにより電磁波の形式の無線周波数信号を送信する。データが端末に送信されたとき、無線周波数回路は、アンテナを使用することにより無線周波数信号を受信し、無線周波数信号をベースバンド信号に変換し、ベースバンド信号をプロセッサに出力する。プロセッサは、ベースバンド信号をデータに変換し、データを処理する。
【００２８】
説明の容易さのため、図２は、1つのメモリ及びプロセッサのみを示す。実際の端末製品では、1つ以上のプロセッサ及び1つ以上のメモリが存在してもよい。メモリはまた、記憶媒体、記憶デバイス等とも呼ばれてもよい。メモリは、プロセッサと独立して配置されてもよく、或いは、プロセッサと統合されてもよい。これは、この出願の実施形態では限定されない。
【００２９】
任意選択の実現方式では、プロセッサは、ベースバンドプロセッサ及び/又は中央処理装置を含んでもよい。ベースバンドプロセッサは、主に、通信プロトコル及び通信データを処理するように構成される。中央処理装置は、主に、全体の端末を制御し、ソフトウェアプログラムを実行し、ソフトウェアプログラムのデータを処理するように構成される。図２におけるプロセッサは、ベースバンドプロセッサ及び中央処理装置の機能を統合してもよい。当業者は、ベースバンドプロセッサ及び中央処理装置が代替として互いに独立したプロセッサでもよいことを理解し得る。任意選択で、端末は、異なるネットワーク標準に適合するために、複数のベースバンドプロセッサを含んでもよい。任意選択で、端末は、端末の処理能力を高めるために、複数の中央処理装置を含んでもよい。任意選択で、ベースバンドプロセッサ及び中央処理装置の機能は、1つのプロセッサに統合されてもよい。任意選択で、端末の構成要素は、様々なバスを使用することにより接続されてもよい。ベースバンドプロセッサはまた、ベースバンド処理回路又はベースバンド処理チップとも呼ばれてもよい。中央処理装置はまた、中央処理回路又は中央処理チップとも呼ばれてもよい。任意選択で、通信プロトコル及び通信データを処理する機能は、プロセッサ内に構築されてもよく、或いは、ソフトウェアプログラムの形式で記憶ユニットに記憶されてもよい。プロセッサは、ベースバンド処理機能を実現するように、ソフトウェアプログラムを実行する。
【００３０】
この出願の実施形態では、受信及び送信機能を有するアンテナ及び無線周波数回路は、端末の送受信ユニットと考えられてもよく、処理機能を有するプロセッサは、端末の処理ユニットと考えられる。図２に示すように、端末T100は、送受信ユニット101と、処理ユニット102とを含む。送受信ユニットはまた、トランシーバ、送受信機、送受信装置等とも呼ばれてもよい。処理ユニットはまた、プロセッサ、処理基板、処理モジュール、処理装置等とも呼ばれてもよい。任意選択で、送受信ユニット101において受信機能を実現するための構成要素は、受信ユニットと考えられてもよく、送受信ユニット101において送信機能を実現するための構成要素は、送信ユニットと考えられてもよく、すなわち、送受信ユニット101は、受信ユニットと、送信ユニットとを含む。場合によっては、送受信ユニットはまた、送受信機、トランシーバ、送受信回路等とも呼ばれてもよい。場合によっては、受信ユニットはまた、受信機、レシーバ、受信回路等とも呼ばれてもよい。場合によっては、送信ユニットはまた、送信機、トランスミッタ、送信回路等とも呼ばれてもよい。
【００３１】
基地局B200はまた、基地局デバイスとも呼ばれてもよく、無線通信機能を提供するために無線アクセスネットワークに配置されるデバイスである。例えば、LTEネットワークにおける基地局は進化型NodeB(evolved  NodeB、eNB又はeNodeB)と呼ばれ、NRネットワークにおける基地局はTRP(送受信ポイント、transmission  reception  point)又はgNB(generation  nodeB,  次世代NodeB)と呼ばれる。図３は、基地局B200の概略構造図である。図３に示す基地局B200は、分散型基地局でもよい。例えば、アンテナ(antennas)、遠隔無線ユニット(remote  radio  unit,  RRU)、及びベースバンドユニット(baseband  unit,  BBU)を含む分散型基地局が図３の左側に示されている。図３に示す基地局は、代替として、統合された基地局、例えば、図３の右側に示すスモールセル(small  cell)でもよい。図３は、単に基地局の実施形態を提供するに過ぎず、基地局の物理構造は、代替として、この出願では限定されない他の形式でもよいことが理解され得る。一般的に、基地局は、部分201と、部分202とを含む。部分201は、主に、無線周波数信号を受信及び送信し、無線周波数信号とベースバンド信号との間の変換を実行するように構成される。部分202は、主に、ベースバンド処理を実行すること、基地局を制御すること等を行うように構成される。部分201は、一般的に、送受信ユニット、送受信機、送受信回路、トランシーバ等と呼ばれてもよい。部分202は、通常では、基地局の制御センタであり、通常では、処理ユニットと呼ばれる。
【００３２】
任意選択の実現方式では、部分201は送受信ユニットであり、送受信機、トランシーバ等とも呼ばれてもよい。部分201は、アンテナと、無線周波数ユニットとを含み、無線周波数ユニットは、主に、無線周波数処理を実行するように構成される。任意選択で、部分201において受信機能を実現するための構成要素は、受信ユニットとして考えられてもよく、送信機能を実現するための構成要素は、送信ユニットとして考えられてもよく、すなわち、部分201は、受信ユニットと、送信ユニットとを含む。受信ユニットはまた、受信機、レシーバ、受信回路等とも呼ばれてもよい。送信ユニットはまた、送信機、トランスミッタ、送信回路等とも呼ばれてもよい。
【００３３】
任意選択の実現方式では、部分202は、1つ以上の基板を含んでもよい。各基板は、1つ以上のプロセッサと、1つ以上のメモリとを含んでもよく、プロセッサは、メモリ内のプログラムを読み取って実行し、ベースバンド処理機能を実現して基地局を制御するように構成される。複数の基板が存在する場合、基板は、処理能力を高めるために相互接続されてもよい。任意選択の実現方式では、代替として、複数の基板は、1つ以上のプロセッサを共有してもよく、或いは、複数の基板は、1つ以上のメモリを共有し、或いは、複数の基板は、同時に1つ以上のプロセッサを共有する。
【００３４】
図１〜図３は、実施形態のみであり、この出願は、これらに限定されないことが理解され得る。
【００３５】
ビット系列を受信デバイスに送信する前に、送信デバイスは、図４に示すように、ビット系列に対してセグメント化、符号化、レートマッチング及び符号ブロック連結のような処理を実行する点に留意すべきである。
【００３６】
セグメント化、符号化、レートマッチング及び符号ブロック連結のような上記の処理は、図３又は図２におけるプロセッサにより実現されてもよいことが理解され得る。
【００３７】
レートマッチングの目的は、符号レートを期待される出力符号レートに調整することである。循環バッファ・レートマッチング(circular  buffer  rate  matching)アルゴリズムでは、L個の符号化ビットが、期待される出力符号レートに基づいて循環バッファ・レートマッチングの出力として選択されてもよく、異なる符号レートは、読み取られる符号化ビットの数を調整することにより取得されてもよい。循環バッファ・レートマッチングでは、バッファ内の指定された開始位置からL個の符号化ビットを読み取ることは、ビット選択と呼ばれる。一般的に、送信のために選択されるビットは、バッファ内のいずれかの位置から始めて読み取られてもよい。バッファの終端に到達した場合、データは、バッファ内の開始位置から読み取られ続けてもよい。したがって、循環バッファに基づくレートマッチングは、簡単な方法を使用することにより実現されてもよい。ハイブリッド自動再送要求(hybrid  automatic  repeat  request,  HARQ)について、循環バッファは柔軟性及び粒度において利点を有する。
【００３８】
HARQはデジタル通信システムにおける非常に重要なリンクアダプテーション技術である。受信端は受信端により受信されたパケットを復号化し、復号化が成功した場合、送信端に新たなパケットを送信するよう要求するために、ACK信号が送信端にフィードバックされ、或いは、復号化に失敗した場合、送信端にパケットを再送するよう要求するために、NACK信号が送信端にフィードバックされる。受信端の復号化成功率は、受信端により、複数回再送されるパケットを復号化することにより増加でき、それにより、リンク送信の高い信頼性の要件を達成する。HARQ方式では、循環バッファ内の異なる位置が、送信データが読み取られる開始位置として指定されてもよい。送信データが循環バッファ内で読み取られる複数の開始位置は、冗長バージョン(redundancy  version,  RV)の規定に基づいて決定される。今回送信されるデータが循環バッファ内で読み取られる具体的な開始位置は、冗長バージョンの値に基づいて決定される。
【００３９】
符号レートが1/3であると仮定すると、符号化された後の符号ブロックの長さは96であり、4つのRVが存在し、これらはそれぞれRV0、RV1、RV2及びRV3であり、コードブックを生成するために64ビットがRV0から始めて読み取られる場合、レートマッチング後の符号レートは
【数５】
2020519174.tif 000007
であるか、或いは、128ビットが読み取られる場合、レートマッチング後の符号レートは
【数６】
2020519174.tif 000008
である。
【００４０】
受信端の能力のような要因のため、受信端におけるソフト情報バッファ(ソフトバッファとも呼ばれる)は制限されてもよい。レートマッチングが送信端において実行されるとき、受信端のソフトバッファサイズが考慮され、送信対象のデータを制限することにより、受信端により受信されるソフト情報がソフトバッファに記憶でき、オーバーフローしないことが確保できる。
【００４１】
ソフトバッファサイズは、記憶されるソフト情報の数であることが理解され得る。例えば、それぞれのソフト情報が8ビットデータであるとき、ソフトバッファサイズは、何個の8ビットデータが記憶できるかを意味する。しかし、受信端における8ビットのソフト情報は、送信端における1ビットに対応する。したがって、送信端において、それは使用されているソフトバッファサイズであるが、ビットレベルのデータが実際に記憶される。
【００４２】
この出願は通信方法を提供する。当該方法は、送信が符号ブロックグループに基づいて実行される通信システム、例えば、符号化がLDPCを使用することにより実行される通信システムに適用可能でもよい。上記の送信は、初期送信及び/又は再送を含んでもよい。通信方法は、通信装置により実現される。この出願の実施形態では、通信装置は、送信端において実行される方法を実現することが理解され得る。この出願では、送信端におけるデバイスはまた、第1のデバイスと呼ばれてもよい。図５に示すように、当該方法は以下のステップを含んでもよい。
【００４３】
S501.入力系列を取得し、入力系列は、M個の符号ブロックグループを含み、Mの値は、トランスポートブロックがセグメント化された後に取得される符号ブロックグループの数以下である。
【００４４】
入力系列は、トランスポートブロックに対応する初期送信系列又は再送系列である。入力系列は、レートマッチングのための入力系列であり、エンコーダの出力は、レートマッチングモジュールの入力系列として考えられてもよい。
【００４５】
ここでの入力系列は、再送データでもよく、或いは、初期送信データでもよい。図４に示すように、トランスポートブロック又は処理されたトランスポートブロックは、符号ブロックセグメント化操作のために入力される。ここでの符号ブロックセグメント化操作は、トランスポートブロック又は処理されたトランスポートブロックを少なくとも1つの符号ブロックにセグメント化することを含んでもよく、少なくとも1つの符号ブロックは、少なくとも1つの符号ブロックグループに分割されてもよい。符号ブロックグループの数は、符号ブロックセグメント化の前に決定されてもよく、或いは、符号ブロックセグメント化の後に決定されてもよい。任意選択で、1つ以上の符号ブロックグループ検査ビットが、システム設計要件に従って、符号ブロックグループ毎に追加されてもよい。これは、この出願のこの実施形態では限定されない。説明の容易さのため、この出願のこの実施形態では、符号ブロックセグメント化がトランスポートブロック又は処理されたトランスポートブロックに対して実行された後に取得される少なくとも1つの符号ブロックに含まれる符号ブロックグループは、以下では略して、トランスポートブロックに含まれる符号ブロックグループと呼ばれる。
【００４６】
この実施形態では、入力系列は、M個の符号ブロックグループを含む。入力系列が初期送信データであるシナリオでは、M個の符号ブロックグループは、トランスポートブロックに含まれる符号ブロックグループである。例えば、トランスポートブロックが4つの符号ブロックグループを含むと仮定し、受信端によりフィードバックされたACKに基づいて、最初の符号ブロックグループが正しく受信されたことが習得される。次いで、最後の3つの符号ブロックグループは再送されてもよく、すなわち、再送される符号ブロックグループの数は、初期に送信された符号ブロックグループの数よりも少ない。再送のための符号ブロックグループが決定された後に、符号ブロックグループは、レートマッチングの前に再符号化されてもよく或いは再符号化されなくてもよい。これは、この出願のこの実施形態では限定されない。
【００４７】
S502.M個の符号ブロックグループ内の第jの符号ブロックに対応するソフトバッファサイズBjを取得する。
【００４８】
Bjの値は、以下のパラメータ、すなわち、符号化された後の第jの符号ブロックの長さKwと、M個の符号ブロックグループに含まれる符号ブロックの数Ctと、トランスポートブロックのソフトバッファサイズNIRと、符号化された符号ブロックの最大利用可能長Nmaxとのうち少なくとも1つに基づいて決定されてもよい。
【００４９】
例えば、いくつかの実現方式では、Bj=Kwである。他の例では、いくつかの実現方式では、
【数７】
2020519174.tif 000009
である。更に他の例では、いくつかの実現方式では、
【数８】
2020519174.tif 000010
である。
【数９】
2020519174.tif 000011
は切り捨てを表し、Kwは符号化された後の第jの符号ブロックの長さKwを表し、CtはM個の符号ブロックグループに含まれる符号ブロックの数を表し、NIRはトランスポートブロックのソフトバッファサイズを表し、Nmaxは符号化された符号ブロックの最大利用可能長を表す。
【００５０】
Bjが満たす上記の式は、説明のための例のみであり、上記の式のいずれかに基づいて変形が行われてもよく、例えば、切り捨ては切り上げに変更されてもよく、或いは、上記の式における
【数１０】
2020519174.tif 000012
又はNmaxは重み付けされてもよいことが理解され得る。これは、この出願のこの実施形態では限定されない。
【００５１】
対応するソフトバッファサイズは、入力系列に含まれる符号ブロックグループが習得された後に、M個の符号ブロックグループ内の符号ブロックについて決定されてもよい。任意選択で、符号ブロックの対応するソフトバッファサイズは、同じ方法を使用することにより決定されてもよい。
【００５２】
実現方式では、レートマッチングモジュールは、エンコーダが符号化を実行した後にエンコーダによりKwを通知されてもよく、或いは、レートマッチングモジュールは、他の方式でKwを習得してもよい。これは、この出願のこの実施形態では限定されない。
【００５３】
トランスポートブロックのソフトバッファサイズNIRの値は、受信端におけるデバイス(第2のデバイスとも呼ばれる)のレベルに関係する。例えば、NIRは以下の式(1)を使用することにより習得されてもよい。
【数１１】
2020519174.tif 000013
Nsoftは受信端におけるデバイスの能力レベルに対応するソフト情報ビット(soft  channel  bits)の数を表し、KCの値はNsoftにより決定され、MDL_HARQはダウンリンクHARQプロセスの最大数を表し、Mlimitは予め規定された定数であり、例えば、8でもよく、KMIMOは送信モードに対応するパラメータであり、例えば、いくつかの送信モードではKMIMOは2でもよく、いくつかの送信モードではKMIMOは1でもよい。これは、この出願のこの実施形態では限定されない。上記の式(1)は、プロセスの数に基づいてソフトバッファを分割することにより、各プロセスのためのリソースを予約するものと理解されてもよい。
【００５４】
可能な実現方式では、NIRの値は、受信端におけるデバイスの能力レベルに基づいてテーブルを検索することにより取得されてもよい。例えば、Nsoftはテーブルを照会することにより習得されてもよく、KCはNsoftの値に基づいて決定されてもよく、次いで、NIRは式(1)に基づいて最終的に取得される。
【数１２】
2020519174.tif 000014
であり、
【数１３】
2020519174.tif 000015
は、エンコーダ内の符号ブロックの最大利用可能長Kmaxに対応する最小符号レートであり、
【数１４】
2020519174.tif 000016
の値は標準において予め設定されてもよく、パラメータPは、0又はパンクチャされた情報ビットの数でもよい。これは、この出願のこの実施形態では限定されない。
【００５５】
S503.Bjに基づいて、送信に使用されるビットセットを決定する。
【００５６】
S502において決定されたBjは、送信されるビットセットを制限する。図６に示すように、図６における白色領域(スラッシュのない部分)は、循環バッファ内のソフトバッファサイズの制限のため送信できないビットセットを示し、スラッシュのある部分は、送信されてもよいビットセットを示す。送信されてもよいビットセットに含まれるビットの数は、ソフトバッファサイズに基づいて決定される。送信される上記のビットセットは、循環バッファで読み取られるデータである。例えば、S502において決定されたソフトバッファサイズは300であり、Kwは400であり、循環バッファのサイズは400である。この場合、符号化されたビット系列の前方の300ビットは、送信に使用されるビットセットとして使用される。任意選択で、送信に使用されるビットセットは、1つ以上の充填ビットを含んでもよい。
【００５７】
S504.ビットセットに基づいてレートマッチング出力系列を取得する。
【００５８】
レートマッチング出力系列は、ビットがRVを参照してビット系列に基づいて読み取られた後に取得されるビット系列である。例えば、読み取りは、RV0に対応する開始位置から始められ、読み取り長は、各符号ブロックの送信ビット長に基づいて決定される。読み取り長は、レートマッチング出力系列の長さである。
【００５９】
任意選択で、ビットセットが1つ以上の充填ビットを含むとき、1つ以上の充填ビットは、読み取り中にスキップされてもよい。
【００６０】
この出願のこの実施形態では、レートマッチング中の各符号ブロックのソフトバッファサイズは、実際に送信される符号ブロックグループとしての要因に基づいて決定され、ソフトバッファリソースはできるだけ多く十分に使用でき、それにより、性能を改善する。
【００６１】
さらに、特にバッファ制限シナリオでは、初期送信中の各符号ブロックのバッファは制限される。この場合、各符号ブロック(繰返し部分を除く)の符号レートは比較的高く、符号化利得は比較的制限される。例えば、符号化される前の符号ブロックの情報ビット長Kが6000である場合、符号ブロックが1/3の符号レートで符号化された後に、符号化された後の符号ブロックの長さは18000である。この場合、符号ブロックのソフトバッファが制限されており、12000のみのサイズを有する場合、符号ブロックは1/2〜12000の符号レートでのみ符号化でき、次いで、6000ビットが繰り返される。したがって、符号化利得の一部が失われる。しかし、この出願のこの実施形態における方法を使用することにより、符号ブロックグループの一部のみが再送され、ソフトバッファが再送中に再び割り当てられ、それにより、各符号ブロックは、より大きいソフトバッファを割り当てられてもよく、それにより、より大きい符号化利得を取得する。例えば、上記の例では、各符号ブロックグループが1つの符号ブロックのみを含むと仮定すると、初期送信において2つの符号ブロックグループが存在し、1つのみの符号ブロックグループが再送される必要がある場合、再送される符号ブロックグループの使用可能なバッファサイズは24000に増加してもよく、それにより、再送される符号ブロックグループが1/3の符号レートであってもよい。
【００６２】
第jの符号ブロックに対応するソフトバッファサイズを決定するためのいくつかの可能な方式について、具体的な例を使用することにより以下に説明する。
【００６３】
可能な実現方式では、Kwの値がNmax及びトランスポートブロックのソフトバッファサイズNIRにより制限されるとき、第jの符号ブロックに対応するソフトバッファサイズBjはKwに等しく、すなわち、Bjの値は式Bj=Kwを満たす。
【００６４】
すなわち、Nmax及びNIRがエンコーダの出力について考慮され、符号化された符号ブロックの長さが、Nmax及び
【数１５】
2020519174.tif 000017
を超えないとき、BjはKwであると決定されてもよく、
【数１６】
2020519174.tif 000018
はNIRのうち何個が各符号ブロックに割り当てられたかとして理解されてもよい。
【００６５】
この実現方式では、Nmax及びトランスポートブロックのソフトバッファサイズの符号化された符号ブロックの長さに対する制限は、符号化段階で完了し、それにより、レートマッチング中の冗長ビットが低減され、複雑性が比較的低い。
【００６６】
Bjを決定するための上記の方式はまた、他のシナリオにも適用可能でもよいことが理解され得る。例えば、Bjは、エンコーダの実現方式を考慮せずに直接的にKwであると決定される。これは、この出願では限定されない。
【００６７】
他の可能な実現方式では、KwがNmaxにより制限されるとき、第jの符号ブロックに対応するソフトバッファサイズBjの値は式
【数１７】
2020519174.tif 000019
を満たすと決定される。
【数１８】
2020519174.tif 000020
は切り捨てを表す。
【００６８】
すなわち、Nmaxがエンコーダの出力について考慮され、他の要因が考慮されない場合、符号ブロックに対応するソフトバッファサイズを決定するとき、NIRのような他の要因が考慮されてもよい。それは、具体的には、
【数１９】
2020519174.tif 000021
でもよい。
【００６９】
この実現方式では、符号化段階で使用されるアルゴリズムは、比較的簡単であり、実現するのが比較的容易である。
【００７０】
この実現方式はまた、Nmax及びNIRが符号化段階で考慮されるシナリオにも適用可能でもよく、或いは、他のシナリオにも適用可能でもよいことが理解され得る。例えば、Bjは、エンコーダの実現方式を考慮せずに
【数２０】
2020519174.tif 000022
であると決定される。これは、この出願では限定されない。
他の可能な実現方式では、第jの符号ブロックに対応するソフトバッファサイズBjは、
【数２１】
2020519174.tif 000023
であると決定されてもよく、すなわち、Bjの値は式
【数２２】
2020519174.tif 000024
を満たす。
【数２３】
2020519174.tif 000025
は切り捨てを表す。
【００７１】
この実現方式は、エンコーダの出力が如何なる要因によっても制限されないシナリオに適用可能でもよい。例えば、エンコーダは、最低の符号レートを直接使用することにより符号化を実行する。この実現方式はまた、エンコーダの出力が、Nmax及びNIRのような1つ以上の要因により制限されるシナリオにも適用可能でもよい。これは、この出願のこの実施形態では限定されない。この実現方式では、エンコーダは、単に比較的簡単な符号化操作を完了する必要があるだけであり、他の制限は、レートマッチング中に完了する。したがって、異なる段階で実現される機能がより明確に規定される。
【００７２】
任意選択で、Bjを決定するための上記の様々な方法に従って、Bjの値は、符号化された後の第jの符号ブロックの長さKwと、M個の符号ブロックグループに含まれる符号ブロックの数Ctと、トランスポートブロックのソフトバッファサイズNIRと、符号化された符号ブロックの最大利用可能長Nmaxとに関係することが理解され得る。
【００７３】
任意選択で、上記の実施形態では、レートマッチング出力系列の長さは、以下の条件、すなわち、j≦Ct-γ-1であるとき、
【数２４】
2020519174.tif 000026
又は、j＞Ct-γ-1であるとき、
【数２５】
2020519174.tif 000027
を満たしてもよく、G’=G/(NL・Qm)であり、γ=G’modCtであり、Qmは変調次数であり、NLはデータフローの数であり、Gはトランスポートブロックを送信するために使用される利用可能なビットの数である。
【００７４】
NLは、主にマルチアンテナシナリオで発生することが理解され得る。例えば、送信ダイバーシチモードでは、一連の操作を使用することにより2つの直交信号が各変調シンボルから生成され、2つの信号は2つのアンテナから同時に送信される。この場合、NL=2である。しかし、多重化モードでは、NLは実際に送信されるデータフローの数に等しい。
【００７５】
レートマッチング出力系列の長さは、各符号ブロックを送信するために使用されるビットの数に基づいて決定されてもよい。長さは、エアインタフェースリソース(すなわち、RBの数)と、全体のトランスポートブロックの符号ブロックの数とに基づいて決定される。例えば、全てのエアインタフェースリソースは、各符号ブロックに均等に割り当てられてもよい。レートマッチング出力系列を決定するための上記の方法は、S504に適用可能でもよく、或いは、図５に示す実施形態とは独立してもよく、すなわち、符号ブロックグループ再送に基づくいずれかのシナリオに適用可能でもよい点に留意すべきである。当該方法は、図５の実施形態における第jの符号ブロックに対応するソフトバッファサイズを決定するための方式に基づくものに限定されない。
【００７６】
例えば、さらに、この出願の実施形態は通信方法を提供する。当該方法は、再送シナリオに適用可能でもよく、以下のステップ、すなわち、
レートマッチングのための入力系列を取得するステップであり、入力系列は、トランスポートブロックに対応する再送系列であり、入力系列は、M個の符号ブロックグループを含み、Mの値は、トランスポートブロックがセグメント化された後に取得される符号ブロックグループの数未満であり、M個の符号ブロックグループは、Ct個の符号ブロックを含む、ステップと、Ct個の符号ブロックに対してレートマッチングを実行するステップであり、Ct個の符号ブロックのそれぞれのレートマッチング出力系列の長さは、以下の条件、すなわち、j≦Ct-γ-1であるとき、
【数２６】
2020519174.tif 000028
又は、j＞Ct-γ-1であるとき、
【数２７】
2020519174.tif 000029
を満たす、ステップと
を含むが、これらに限定されない。
【００７７】
この方法では、レートマッチングの出力は、再送される符号ブロックグループに基づき、それにより、エアインタフェースリソースがより十分に使用できる。
【００７８】
受信端において、デレートマッチング及び復号化が対応する方式で実行されてもよいことが理解され得る。例えば、各符号ブロックについて、ソフトバッファサイズは、送信端において使用される方法と同じ方法に基づいて計算され、デレートマッチング操作は、ソフトバッファサイズに基づいて、受信したソフト情報に対して実行され、デレートマッチングモジュールは、復号化のためにソフトバッファサイズ以下の長さを有するソフト情報系列をデコーダに出力する。受信端における装置は、第2のデバイスに位置してもよく、上記の機能を実現するために対応する機能ユニットを含んでもよい。例えば、受信端における装置は、命令を記憶するように構成されたメモリと、命令を実行して、受信端において完了するデレートマッチング及び復号化の上記のプロセスを実現するように構成されたプロセッサとを含んでもよい。
【００７９】
この出願の実施形態は通信装置700を更に提供する。通信装置は、上記の実施形態において、送信端、例えば、第1のデバイスにおいて実行される方法を実現するように構成される。通信装置は、端末、基地局、ベースバンドチップ、データ信号処理チップ、汎用チップ又は汎用チップ等でもよい。図７に示すように、当該装置は、
入力系列を取得するように構成された入力ユニット701であり、入力系列は、M個の符号ブロックグループを含み、Mの値は、トランスポートブロックがセグメント化された後に取得される符号ブロックグループの数以下である、入力ユニット701と、
M個の符号ブロックグループ内の第jの符号ブロックに対応するソフトバッファサイズBjを取得するように構成された取得ユニット702であり、第jの符号ブロックに対応するソフトバッファサイズは、符号化された後の第jの符号ブロックの長さKwと、M個の符号ブロックグループに含まれる符号ブロックの数Ctと、トランスポートブロックのソフトバッファサイズNIRと、符号化された符号ブロックの最大利用可能長Nmaxとのうち少なくとも1つに基づいて決定される、取得ユニット702と、
第jの符号ブロックに対応するソフトバッファサイズに基づいて、送信用のビットセットを決定するように構成された決定ユニット703と、
決定ユニット703により決定されたビットセットに基づいてレートマッチング出力系列を取得するように構成された出力ユニット704と
を含んでもよい。
【００８０】
上記のユニットは、独立した論理的機能モジュールでもよく、或いは、統合された機能ユニットを使用することにより実現されてもよいことが理解され得る。これは、この出願のこの実施形態では限定されない。さらに、上記のユニットの具体的な機能及び実現方式は、方法の実施形態及び図１から図６の関係する説明を参照できる。
【００８１】
この出願の実施形態は通信装置を更に提供する。通信装置は、端末、基地局、ベースバンドチップ、データ信号処理チップ、汎用チップ又は汎用チップ等でもよい。
【００８２】
通信装置は、入力系列を取得するように構成された入力ユニットであり、入力系列は、トランスポートブロックに対応する再送系列であり、入力系列は、M個の符号ブロックグループを含み、Mの値は、トランスポートブロックがセグメント化された後に取得される符号ブロックグループの数未満であり、M個の符号ブロックグループは、Ct個の符号ブロックを含む、入力ユニットと、
Ct個の符号ブロックに対してレートマッチングを実行するように構成されたレートマッチングユニットであり、Ct個の符号ブロックのそれぞれのレートマッチング出力系列の長さは、以下の条件、すなわち、j≦Ct-γ-1であるとき、
【数２８】
2020519174.tif 000030
又は、j＞Ct-γ-1であるとき、
【数２９】
2020519174.tif 000031
を満たし、G’=G/(NL・Qm)であり、γ=G’modCtであり、Qmは変調次数であり、NLはデータフローの数であり、Gはトランスポートブロックを送信するために使用される利用可能なビットの数である、レートマッチングユニットと
を含む。この実施形態における入力ユニット及びレートマッチングユニットは、図２及び図３に示すプロセッサ又は図４に示すレートマッチングモジュールを使用することにより実現されてもよい。いくつかの関係する説明については、上記の実施形態における説明を参照し、詳細は、ここでは再び説明しない。
【００８３】
任意選択で、この出願の実施形態は通信装置800を更に提供する。図８に示すように、当該装置は、メモリ801と、プロセッサ802とを含んでもよい。異なる用途では、メモリ801及びプロセッサ802は、異なる機能を有してもよい。
【００８４】
可能な実現方式では、
メモリ801は、プロセッサ802に結合される。プロセッサ802は、
レートマッチングのための入力系列を取得し、入力系列は、トランスポートブロックに対応する初期送信系列又は再送系列であり、入力系列は、M個の符号ブロックグループを含み、Mの値は、トランスポートブロックがセグメント化された後に取得される符号ブロックグループの数以下であり、M個の符号ブロックグループ内の第jの符号ブロックに対応するソフトバッファサイズBjを取得し、Bjの値は、符号化された後の第jの符号ブロックの長さKwと、M個の符号ブロックグループに含まれる符号ブロックの数Ctと、トランスポートブロックのソフトバッファサイズNIRとに基づいて決定され、Bjに基づいて、送信に使用されるビットセットを決定し、ビットセットに基づいてレートマッチング出力系列を取得する、ように構成される。代替として、プロセッサ802は、レートマッチングのための入力系列を取得し、入力系列は、トランスポートブロックに対応する再送系列であり、入力系列は、M個の符号ブロックグループを含み、Mの値は、トランスポートブロックがセグメント化された後に取得される符号ブロックグループの数未満であり、M個の符号ブロックグループは、Ct個の符号ブロックを含み、
Ct個の符号ブロックに対してレートマッチングを実行し、Ct個の符号ブロックのそれぞれのレートマッチング出力系列の長さは、以下の条件、すなわち、j≦Ct-γ-1であるとき、
【数３０】
2020519174.tif 000032
又は、j＞Ct-γ-1であるとき、
【数３１】
2020519174.tif 000033
を満たす、ように構成される。
【００８５】
他の可能な実現方式では、
エンコーダの全体の出力系列又は出力系列の一部は、メモリ801に記憶されてもよい。
【００８６】
ここで、メモリに記憶される出力系列は、上記の実施形態に記載の入力系列でもよい。入力系列に含まれるCt個の符号ブロックのそれぞれは、仮想バッファに対応してもよい。仮想バッファ(循環バッファとも呼ばれる)のサイズは、Kwに等しくてもよい。
【００８７】
メモリ801は、レジスタ、ランダムアクセスメモリ(RAM)、キャッシュレジスタ(cache)、フラッシュメモリ、ROMメモリ、EPROMメモリ、EEPROMメモリ、ハードディスク、取り外し可能ハードディスク、CD-ROM又は当該技術分野で周知の他の形式のいずれかの記憶媒体でもよいことが理解され得る。これは、この出願のこの実施形態では限定されない。
【００８８】
プロセッサ802は、図７に示す実施形態において、取得ユニット702、決定ユニット703及び出力ユニット704の機能を実現するように構成されてもよく、詳細は、ここでは再び説明しない。代替として、プロセッサ802は、Ct個の符号ブロックに対してレートマッチングを実行するように更に構成されてもよく、Ct個の符号ブロックのそれぞれのレートマッチング出力系列の長さは、以下の条件、すなわち、j≦Ct-γ-1であるとき、
【数３２】
2020519174.tif 000034
又は、j＞Ct-γ-1であるとき、
【数３３】
2020519174.tif 000035
を満たす。
【００８９】
代替として、他の可能な実現方式では、
メモリ801は、上記の実施形態に記載の通信方法を実現するための命令を記憶するように構成されてもよく、プロセッサ802は、上記の命令を実行し、上記の実施形態に記載の通信方法を実現するように構成されてもよい。上記の場合、メモリ801及びプロセッサ802は、互いに独立してもよく、或いは、チップ上に統合されてもよいことが理解され得る。メモリ801及びプロセッサ802の存在形式は、この出願のこの実施形態では限定されない。
【００９０】
この出願の実施形態における通信装置によれば、レートマッチング中の各符号ブロックのソフトバッファサイズは、実際に送信される符号ブロックグループの数のような要因に基づいて決定され、それにより、より短いブロック長は、より長いブロック長によりサポートできる符号レートよりも低い符号レートをサポートでき、ソフトバッファサイズは増加せず、それにより、レートマッチング性能を改善する。
【００９１】
添付図面に示す機能ユニットに加えて、図７及び図８の実施形態で提供される通信装置は、他のユニットを更に含んでもよい点に留意すべきである。これは、この出願のこの実施形態では限定されない。例えば、通信装置は、受信及び送信機能を実現するためのユニットを更に含んでもよい。
【００９２】
この出願において言及されるプロセッサは、中央処理装置(CPU)、汎用プロセッサ、デジタルシグナルプロセッサ(DSP)、特定用途向け集積回路(ASIC)、フィールドプログラマブルゲートアレイ(FPGA)若しくは他のプログラマブルロジックデバイス、トランジスタ論理デバイス、ハードウェアコンポーネント又はこれらのいずれかの組み合わせでもよい点に留意すべきである。プロセッサは、この出願に開示される内容を参照して記載される論理ブロック、モジュール及び回路の様々な例を実現又は実行してもよい。プロセッサは、計算機能を実現する組み合わせ、例えば、1つ以上のマイクロプロセッサの組み合わせ、又はDSPとマイクロプロセッサとの組み合わせでもよい。
【００９３】
この出願で提供されるいくつかの実施形態では、開示の装置及び方法は、他の方式で実現されてもよいことが理解されるべきである。例えば、記載の装置の実施形態は、単なる例である。例えば、ユニット分割は、単なる論理的な機能分割であり、実際の実現方式では他の分割でもよい。例えば、複数のユニット又は構成要素は、他のシステムに結合又は統合されてもよく、或いは、いくつかの特徴は無視されてもよく或いは実行されなくてもよい。さらに、表示又は議論された相互結合又は直接結合又は通信接続は、いくつかのインタフェースを使用することにより実現されてもよい。装置又はユニットの間の間接結合又は通信接続は、電子的、機械的又は他の形式で実現されてもよい。
【００９４】
別々の部分として記載されたユニットは、物理的に別々でもよく或いは別々でなくてもよく、ユニットとして表示された部分は、物理的なユニットでもよく或いは物理的なユニットでなくてもよく、1つの場所に位置してもよく、或いは、複数のネットワークユニットに分散されてもよい。ユニットの一部又は全部は、実施形態の解決策の目的を達成するために、実際のニーズに従って選択されてもよい。
【００９５】
さらに、この出願の実施形態における機能ユニットは、1つのユニットに統合されてもよく、或いは、ユニットのそれぞれが単独で存在してもよく、或いは、2つ以上のユニットが1つのユニットに統合される。統合されたユニットは、ハードウェアの形式で実現されてもよく、或いは、ソフトウェア機能ユニットに加えてハードウェアの形式で実現されてもよい。
【００９６】
ソフトウェア機能部は、記憶ユニットに記憶され、記憶ユニットは、コンピュータデバイス(パーソナルコンピュータ、サーバ又はネットワーク装置でもよい)又はプロセッサ(processor)に対して、この出願の実施形態に記載の方法のステップの一部を実行するように命令するためのいくつかの命令を含む。記憶ユニットは、読み取り専用メモリ(Read-Only  Memory,  ROM)、ランダムアクセスメモリ(Random  Access  Memory,  RAM)及び電気的消去可能プログラム可能読み取り専用メモリ(EEPROM)のような1つ以上のメモリを含む。記憶ユニットは、互いに独立して存在してもよく、或いは、プロセッサと統合されてもよい。
【００９７】
便宜的且つ簡単な説明の目的で、上記の機能モジュールの分割が例示のための例として挙げられることは、当業者により明確に理解され得る。実際の用途では、上記の機能は、異なる機能モジュールに割り当てられて要件に従って実現でき、すなわち、装置の内部構造は、上記の機能の全部又は一部を実現するために、異なる機能モジュールに分割される。上記の装置の詳細な操作プロセスについては、上記の方法の実施形態における対応するプロセスを参照し、詳細は、ここでは更に説明しない。
【００９８】
この明細書における第1、第2及び様々な数字は、この出願の実施形態の範囲を限定するのではなく、説明の容易さのみのために区別に使用されることは、当業者により理解されるべきである。
【００９９】
上記のプロセスの順序番号は、この出願の様々な実施形態における実行順序を意味しないことは、当業者により理解されるべきである。プロセスの実行順序は、プロセスの機能及び内部ロジックに従って決定されるべきであり、この出願の実施形態の実現プロセスに対する限定として解釈されるべきではない。
【０１００】
上記の実施形態の全部又は一部は、ソフトウェア、ハードウェア、ファームウェア又はこれらのいずれかの組み合わせを使用することにより実現されてもよい。実施形態がソフトウェアを使用することにより実現されるとき、実施形態の全部又は一部は、コンピュータプログラムプロダクトの形式で実現されてもよい。コンピュータプログラムプロダクトは、1つ以上のコンピュータ命令を含む。コンピュータプログラム命令がコンピュータ上にロードされて実行されたとき、本発明の実施形態による手順又は機能が、全て或いは部分的に生成される。コンピュータは、汎用コンピュータ、専用コンピュータ、コンピュータネットワーク又は他のプログラム可能装置でもよい。コンピュータ命令は、コンピュータ読み取り可能記憶媒体に記憶されてもよく、或いは、或るコンピュータ読み取り可能記憶媒体から他のコンピュータ読み取り可能記憶媒体に送信されてもよい。例えば、コンピュータ命令は、有線(例えば、同軸ケーブル、光ファイバ又はデジタル加入者線(DSL)を使用することにより)又は無線(例えば、赤外線、無線、マイクロ波等)方式で、ウェブサイト、コンピュータ、サーバ又はデータセンタから、他のウェブサイト、コンピュータ、サーバ又はデータセンタに送信されてもよい。コンピュータ読み取り可能記憶媒体は、コンピュータによりアクセス可能ないずれかの利用可能な媒体、又は1つ以上の利用可能な媒体を統合するサーバ若しくはデータセンタのようなデータ記憶デバイスでもよい。利用可能な媒体は、磁気媒体(フロッピーディスク、ハードディスク、磁気テープ等)、光媒体(DVD等)又は半導体媒体(ソリッドステートディスク(SSD)等)等でもよい。
【０１０１】
最後に、上記の実施形態は、この出願を限定すること以外に、単にこの出願の技術的解決策を説明することを意図するものに過ぎない点に留意すべきである。この出願は、上記の実施形態を参照して詳細に記載されているが、当業者は、この出願の実施形態の技術的解決策の範囲から逸脱することなく、依然として上記の実施形態に記載の技術的解決策に対して変更を行ってもよく、或いは、その一部又は全部の技術的特徴に対して等価置換を行ってもよいことを理解すべきである。
【図１】
2020519174.tif 000048
【図２】
2020519174.tif 000049
【図３】
2020519174.tif 000050
【図４】
2020519174.tif 000051
【図５】
2020519174.tif 000052
【図６】
2020519174.tif 000053
【図７】
2020519174.tif 000054
【図８】
2020519174.tif 000055
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
通信方法であって、
Ct個のレートマッチング出力系列を取得するために、Ct個の符号ブロックに対してレートマッチングを実行するステップであり、レートマッチング出力系列の長さは、j≦Ct-γ-1であるとき、
【数３４】
2020519174.tif 000056
又は、j＞Ct-γ-1であるとき、
【数３５】
2020519174.tif 000057
を満たし、G’=G/(NL・Qm)であり、γ=G’modCtであり、Qmは変調次数であり、NLはデータフローの数であり、Gはトランスポートブロックを送信するために使用される利用可能なビットの数であり、jは符号ブロック番号に対応し、前記Ct個の符号ブロックは再送系列に含まれ、前記再送系列は、前記トランスポートブロックに対応し、M個の符号ブロックグループを含み、Mの値は、前記トランスポートブロックがセグメント化された後に取得される符号ブロックグループの数未満である、ステップと、
前記Ct個のレートマッチング出力系列を出力するステップと
を含む方法。
【請求項２】
前記Ct個の符号ブロックに対してレートマッチングを実行する前に、当該方法は、
前記M個の符号ブロックグループ内の第jの符号ブロックに対応するソフトバッファサイズBjを取得するステップであり、Bjの値は、符号化された後の前記第jの符号ブロックの長さKwと、前記M個の符号ブロックグループに含まれる符号ブロックの数Ctと、前記トランスポートブロックのソフトバッファサイズNIRとに基づいて決定される、ステップと、
Bjに基づいて、送信に使用されるビットセットを決定するステップと
を更に含み、
前記Ct個の符号ブロックに対してレートマッチングを実行するステップは、
前記ビットセットに基づいてレートマッチング出力系列を取得するステップを含む、請求項１に記載の方法。
【請求項３】
Bjの値が、符号化された後の前記第jの符号ブロックの長さKwと、前記M個の符号ブロックグループに含まれる符号ブロックの数Ctと、前記トランスポートブロックのソフトバッファサイズNIRとに基づいて決定されることは、
前記Bjの値が
【数３６】
2020519174.tif 000058
を満たすことを含む、請求項２に記載の方法。
【請求項４】
Bjの値が、符号化された後の前記第jの符号ブロックの長さKwと、前記M個の符号ブロックグループに含まれる符号ブロックの数Ctと、前記トランスポートブロックのソフトバッファサイズNIRとに基づいて決定されることは、
前記Bjの値が
【数３７】
2020519174.tif 000059
を満たし、Nmaxは符号化された符号ブロックの最大利用可能長を表すことを含む、請求項２に記載の方法。
【請求項５】
通信装置であって、
Ct個のレートマッチング出力系列を取得するために、Ct個の符号ブロックに対してレートマッチングを実行するように構成されたレートマッチングユニットであり、レートマッチング出力系列の長さは、j≦Ct-γ-1であるとき、
【数３８】
2020519174.tif 000060
又は、j＞Ct-γ-1であるとき、
【数３９】
2020519174.tif 000061
を満たし、G’=G/(NL・Qm)であり、γ=G’modCtであり、Qmは変調次数であり、NLはデータフローの数であり、Gはトランスポートブロックを送信するために使用される利用可能なビットの数であり、jは符号ブロック番号に対応し、前記Ct個の符号ブロックは再送系列に含まれ、前記再送系列は、前記トランスポートブロックに対応し、M個の符号ブロックグループを含み、Mの値は、前記トランスポートブロックがセグメント化された後に取得される符号ブロックグループの数未満である、レートマッチングユニットと、
前記Ct個のレートマッチング出力系列を出力するように構成された出力ユニットと
を含む装置。
【請求項６】
前記M個の符号ブロックグループ内の第jの符号ブロックに対応するソフトバッファサイズBjを取得するように構成された取得ユニットであり、Bjの値は、符号化された後の前記第jの符号ブロックの長さKwと、前記M個の符号ブロックグループに含まれる符号ブロックの数Ctと、前記トランスポートブロックのソフトバッファサイズNIRとに基づいて決定される、取得ユニットと、
Bjに基づいて、送信に使用されるビットセットを決定するように構成された決定ユニットと
を更に含み、
前記出力ユニットは、前記ビットセットに基づいて前記レートマッチング出力系列を取得するように構成される、請求項５に記載の装置。
【請求項７】
前記Bjの値は
【数４０】
2020519174.tif 000062
を満たす、請求項６に記載の装置。
【請求項８】
前記Bjの値は
【数４１】
2020519174.tif 000063
を満たし、Nmaxは符号化された符号ブロックの最大利用可能長を表す、請求項６に記載の装置。
【請求項９】
通信装置であって、
メモリと、プロセッサと、前記メモリに記憶されて前記プロセッサ上で実行可能な命令とを含み、
前記命令が前記プロセッサにより実行されたとき、前記通信装置に請求項１乃至４のうちいずれか１項に記載の方法を実現させる、通信装置。
【請求項１０】
通信装置であって、
レートマッチングのための入力系列を取得するように構成されたメモリであり、前記入力系列は、トランスポートブロックに対応する再送系列に基づき、前記入力系列は、M個の符号ブロックグループを含み、Mの値は、前記トランスポートブロックがセグメント化された後に取得される符号ブロックグループの数以下である、メモリと、
Ct個のレートマッチング出力系列を取得して前記Ct個のレートマッチング出力系列を出力するために、Ct個の符号ブロックに対してレートマッチングを実行するように構成されたプロセッサであり、レートマッチング出力系列の長さは、j≦Ct-γ-1であるとき、
【数４２】
2020519174.tif 000064
又は、j＞Ct-γ-1であるとき、
【数４３】
2020519174.tif 000065
を満たし、G’=G/(NL・Qm)であり、γ=G’modCtであり、Qmは変調次数であり、NLはデータフローの数であり、Gはトランスポートブロックを送信するために使用される利用可能なビットの数であり、jは符号ブロック番号に対応し、前記Ct個の符号ブロックは再送系列に含まれ、前記再送系列は、前記トランスポートブロックに対応し、M個の符号ブロックグループを含み、Mの値は、前記トランスポートブロックがセグメント化された後に取得される符号ブロックグループの数未満である、プロセッサと
を含む装置。
【請求項１１】
前記プロセッサは、
前記M個の符号ブロックグループ内の第jの符号ブロックに対応するソフトバッファサイズBjを取得し、Bjの値は、符号化された後の前記第jの符号ブロックの長さKwと、前記M個の符号ブロックグループに含まれる符号ブロックの数Ctと、前記トランスポートブロックのソフトバッファサイズNIRとに基づいて決定され、
Bjに基づいて、送信に使用されるビットセットを決定し、
前記ビットセットに基づいて前記レートマッチング出力系列を取得する、
ように更に構成される、請求項１０に記載の装置。
【請求項１２】
前記Bjの値は
【数４４】
2020519174.tif 000066
を満たす、請求項１１に記載の装置。
【請求項１３】
前記Bjの値は
【数４５】
2020519174.tif 000067
を満たし、Nmaxは符号化された符号ブロックの最大利用可能長を表す、請求項１１に記載の装置。
【請求項１４】
コンピュータ読み取り可能記憶媒体であって、
当該媒体は命令を記憶し、
前記命令がコンピュータ上で実行されたとき、通信装置に請求項１乃至４のうちいずれか１項に記載の通信方法を実現させる、コンピュータ読み取り可能記憶媒体。
【請求項１５】
コンピュータプログラムであって、
当該プログラムが実行されたとき、通信装置に請求項１乃至４のうちいずれか１項に記載の方法を実現させる、コンピュータプログラム。
【手続補正２】
【補正対象書類名】明細書
【補正対象項目名】０００１
【補正方法】変更
【補正の内容】
【０００１】
この出願は、通信技術に関し、特に、通信方法及び装置に関する。
【手続補正３】
【補正対象書類名】明細書
【補正対象項目名】０００２
【補正方法】変更
【補正の内容】
【０００２】
技術の発展によって、低密度パリティ検査(LDPC)ビットが情報を符号化するために通信システムに導入されており、低密度パリティ検査符号の検査行列は疎行列である。
【手続補正４】
【補正対象書類名】明細書
【補正対象項目名】０００３
【補正方法】変更
【補正の内容】
【０００３】
符号化がLDPCを使用することにより実行され得るシステム、例えば、新無線(NR)システムでは、符号ブロックグループに基づく送信が実現される必要がある。しかし、既存のレートマッチングアルゴリズムは、符号化がTurbo符号を使用することにより実行されるシステムに基づく。符号化がTurbo符号を使用することにより実行されるシステムでは、初期送信と再送との双方は、トランスポートブロック内の全ての符号ブロックについてのものである。したがって、既存のレートマッチングアルゴリズムは、送信が符号ブロックグループに基づいて実行されるシステムには適用可能ではない。
【手続補正５】
【補正対象書類名】明細書
【補正対象項目名】００２３
【補正方法】変更
【補正の内容】
【００２３】
トランスポートブロック(TB)と符号ブロック(CB)との双方は、ビット系列と考えられてもよい。符号ブロックは、トランスポートブロック又は処理されたトランスポートブロックがセグメント化された後に取得され、符号化の対象である。したがって、この出願では、符号ブロックの長さは、符号ブロックに対応するビット系列に含まれるビットの数であり、符号ブロックの長さはまた、符号ブロックのサイズとも呼ばれてもよい。トランスポートブロックの長さは、トランスポートブロックに対応するビット系列に含まれるビットの数であり、トランスポートブロックの長さはまた、トランスポートブロックのサイズとも呼ばれてもよい。技術の発展によって、トランスポートブロック又は符号ブロックは、異なる用語として命名されてもよいことが理解され得る。この出願の実施形態では、処理後に取得されるトランスポートブロックもまた、トランスポートブロックとして理解されてもよく、処理は、検査ビットを追加すること、例えば、巡回冗長検査(CRC)ビットを初期トランスポートブロックに追加することでもよい。処理は、この出願では限定されない。
【手続補正６】
【補正対象書類名】明細書
【補正対象項目名】００２５
【補正方法】変更
【補正の内容】
【００２５】
この出願の実施形態における技術的解決策は、図１に示す無線通信システムに適用可能でもよい。図１に示すように、無線通信システムは、少なくとも1つの基地局B200と、少なくとも1つの端末T100(1つのみが図１に示されている)とを含む。基地局B200は、異なる通信リソースを使用することにより、端末T100と通信してもよい。例えば、基地局B200は、ワイドビーム及び/又はナロービームを使用することにより、端末T100と通信してもよい。無線通信システムは、ロングタームエボリューション(LTE)システムのような4G通信システム、新無線(NR)システムのような5G通信システム、様々な通信技術を統合した通信システム(例えば、LTE技術とNR技術とを統合した通信システム)、後続の進化型システム等でもよい。基地局B200と端末T100との双方は、送信デバイス又は受信デバイスとして使用されてもよい。アップリンクでは、端末は送信デバイスとして使用され、基地局は受信デバイスとして使用される。ダウンリンクでは、基地局は送信デバイスとして使用され、端末は受信デバイスとして使用される。無線通信システムは、無線アクセスネットワークと、コアネットワークとを含んでもよいことが理解され得る。無線アクセスネットワークは、基地局B200を含み、中継ノード又は他のデバイスのような他のアクセスデバイスを含んでもよい。コアネットワークは、モビリティ管理エンティティ又は他の制御又は記憶デバイスのようなコアネットワークデバイスを含んでもよい。
【手続補正７】
【補正対象書類名】明細書
【補正対象項目名】００３１
【補正方法】変更
【補正の内容】
【００３１】
基地局B200はまた、基地局デバイスとも呼ばれてもよく、無線通信機能を提供するために無線アクセスネットワークに配置されるデバイスである。例えば、LTEネットワークにおける基地局は進化型NodeB(eNB又はeNodeB)と呼ばれ、NRネットワークにおける基地局は送受信ポイント(TRP)又はgeneration  NodeB若しくは次世代NodeB(gNB)と呼ばれる。図３は、基地局B200の概略構造図である。図３に示す基地局B200は、分散型基地局でもよい。例えば、アンテナ、遠隔無線ユニット(RRU)、及びベースバンドユニット(BBU)を含む分散型基地局が図３の左側に示されている。図３に示す基地局は、代替として、統合された基地局、例えば、図３の右側に示すスモールセルでもよい。図３は、単に基地局の実施形態を提供するに過ぎず、基地局の物理構造は、代替として、この出願では限定されない他の形式でもよいことが理解され得る。一般的に、基地局は、部分201と、部分202とを含む。部分201は、主に、無線周波数信号を受信及び送信し、無線周波数信号とベースバンド信号との間の変換を実行するように構成される。部分202は、主に、ベースバンド処理を実行すること、基地局を制御すること等を行うように構成される。部分201は、一般的に、送受信ユニット、送受信機、送受信回路、トランシーバ等と呼ばれてもよい。部分202は、通常では、基地局の制御センタであり、通常では、処理ユニットと呼ばれる。
【手続補正８】
【補正対象書類名】明細書
【補正対象項目名】００３７
【補正方法】変更
【補正の内容】
【００３７】
レートマッチングの目的は、符号レートを期待される出力符号レートに調整することである。循環バッファ・レートマッチングアルゴリズムでは、L個の符号化ビットが、期待される出力符号レートに基づいて循環バッファ・レートマッチングの出力として選択されてもよく、異なる符号レートは、読み取られる符号化ビットの数を調整することにより取得されてもよい。循環バッファ・レートマッチングでは、バッファ内の指定された開始位置からL個の符号化ビットを読み取ることは、ビット選択と呼ばれる。一般的に、送信のために選択されるビットは、バッファ内のいずれかの位置から始めて読み取られてもよい。バッファの終端に到達した場合、データは、バッファ内の開始位置から読み取られ続けてもよい。したがって、循環バッファに基づくレートマッチングは、簡単な方法を使用することにより実現されてもよい。ハイブリッド自動再送要求(HARQ)について、循環バッファは柔軟性及び粒度において利点を有する。
【手続補正９】
【補正対象書類名】明細書
【補正対象項目名】００３８
【補正方法】変更
【補正の内容】
【００３８】
HARQはデジタル通信システムにおける非常に重要なリンクアダプテーション技術である。受信端は受信端により受信されたパケットを復号化し、復号化が成功した場合、送信端に新たなパケットを送信するよう要求するために、肯定応答(ACK)信号が送信端にフィードバックされ、或いは、復号化に失敗した場合、送信端にパケットを再送するよう要求するために、否定応答(NACK)信号が送信端にフィードバックされる。受信端の復号化成功率は、受信端により、複数回再送されるパケットを復号化することにより増加でき、それにより、リンク送信の高い信頼性の要件を達成する。HARQ方式では、循環バッファ内の異なる位置が、送信データが読み取られる開始位置として指定されてもよい。送信データが循環バッファ内で読み取られる複数の開始位置は、冗長バージョン(RV)の規定に基づいて決定される。今回送信されるデータが循環バッファ内で読み取られる具体的な開始位置は、冗長バージョンの値に基づいて決定される。
【手続補正１０】
【補正対象書類名】明細書
【補正対象項目名】００４９
【補正方法】変更
【補正の内容】
【００４９】
例えば、いくつかの実現方式では、Bj=Kwである。他の例では、いくつかの実現方式では、
【数７】
2020519174.tif 000068
である。更に他の例では、いくつかの実現方式では、
【数８】
2020519174.tif 000069
である。
【数９】
2020519174.tif 000070
は切り捨てを表し、Kwは符号化された後の第jの符号ブロックの長さを表し、CtはM個の符号ブロックグループに含まれる符号ブロックの数を表し、NIRはトランスポートブロックのソフトバッファサイズを表し、Nmaxは符号化された符号ブロックの最大利用可能長を表す。
【手続補正１１】
【補正対象書類名】明細書
【補正対象項目名】００７９
【補正方法】変更
【補正の内容】
【００７９】
この出願の実施形態は通信装置700を更に提供する。通信装置は、上記の実施形態において、送信端、例えば、第1のデバイスにおいて実行される方法を実現するように構成される。通信装置は、端末、基地局、ベースバンドチップ、データ信号処理チップ、汎用チップ等でもよい。図７に示すように、当該装置は、
入力系列を取得するように構成された入力ユニット701であり、入力系列は、M個の符号ブロックグループを含み、Mの値は、トランスポートブロックがセグメント化された後に取得される符号ブロックグループの数以下である、入力ユニット701と、
M個の符号ブロックグループ内の第jの符号ブロックに対応するソフトバッファサイズBjを取得するように構成された取得ユニット702であり、第jの符号ブロックに対応するソフトバッファサイズは、符号化された後の第jの符号ブロックの長さKwと、M個の符号ブロックグループに含まれる符号ブロックの数Ctと、トランスポートブロックのソフトバッファサイズNIRと、符号化された符号ブロックの最大利用可能長Nmaxとのうち少なくとも1つに基づいて決定される、取得ユニット702と、
第jの符号ブロックに対応するソフトバッファサイズに基づいて、送信用のビットセットを決定するように構成された決定ユニット703と、
決定ユニット703により決定されたビットセットに基づいてレートマッチング出力系列を取得するように構成された出力ユニット704と
を含んでもよい。
【手続補正１２】
【補正対象書類名】明細書
【補正対象項目名】００８１
【補正方法】変更
【補正の内容】
【００８１】
この出願の実施形態は通信装置を更に提供する。通信装置は、端末、基地局、ベースバンドチップ、データ信号処理チップ、汎用チップ等でもよい。
【手続補正１３】
【補正対象書類名】明細書
【補正対象項目名】００９６
【補正方法】変更
【補正の内容】
【００９６】
ソフトウェア機能部は、記憶ユニットに記憶され、記憶ユニットは、コンピュータデバイス(パーソナルコンピュータ、サーバ又はネットワーク装置でもよい)又はプロセッサに対して、この出願の実施形態に記載の方法のステップの一部を実行するように命令するためのいくつかの命令を含む。記憶ユニットは、読み取り専用メモリ(ROM)、ランダムアクセスメモリ(RAM)及び電気的消去可能プログラム可能読み取り専用メモリ(EEPROM)のような1つ以上のメモリを含む。記憶ユニットは、互いに独立して存在してもよく、或いは、プロセッサと統合されてもよい。
【国際調査報告】
2020519174.tif 000071
2020519174.tif 000072
2020519174.tif 000073
2020519174.tif 000074